(57)【要約】【課題】装着形態が多岐にわたり収納や洗濯が容易な折り畳み（包み込み）組立て式、箱物保持装着カバーをつくる。【解決手段】箱型対象物（ティッシュペーパーボックス等）を分解した（開いた）状態と同じように一つの素地（布地）を上面１を中心に保持する各側面部分２、４、１０、１１と保持、装着する付け足し面３、５、６、７、８、９、１２、１３を切り離すことなく一面化し、側面と付け足し面を折り畳んで（包み込んで）保持できるようマジックテープ等の留め具１５、１６をつけた。これにより折り畳み（包み込み）組立て式のカバーが可能となり収納、洗濯も容易となった。付け足し面３、５、７、９が装着の際に結合する手の働きをもち、多岐にわたる装着形態と密着度を高めた。【選択図】          図２１
2005066075.tif 000002
【特許請求の範囲】
【請求項１】
箱型の対象物（ティッシュペーパーボックス等の上面に取り出し口が開いている）を保持し装着する為、箱型の対象物（ティッシュペーパーボックス等）の上面を中心に各面に分解した（開いた）面と保持、装着に必要であるという前提のもとに付け足した面を一つの素地（布地等）を使用し、箱型の対象物（ティッシュペーパーボックス等）を折り畳んで（包み込んで）保持、装着することを可能とした箱物保持装着カバー。
【請求項２】
箱型の対象物（ティッシュペーパーボックス等）を折り畳んで（包み込んで）保持し、別な物へ縦、横等の装着を行なう為に、上面を中心に分解した（開いた）形状の４側面にあたる４辺の延長に、それぞれ下面（底面）の長さに相当する面の部分を付け足し下面（底面）での保持安定と装着の為の結合部分（手）とした。そして、側面での保持の安定ともう一つの横の装着を行なう為に、長い側面の片側の短い両辺の延長に、分解した（開いた）短い側面の横の長さと長い側面の横の長さを合わせた程度の長さの面を付け足した。分解した（開いた）短い側面と各付け足した面にマジックテープ等の留め具を着け、箱型の対象物（ティッシュペーパーボックス等）を折り畳んだ（包み込んだ）際に各面同士を止め合わせ、保持する箱型の対象物（ティッシュペーパーボックス等）を折り畳んで（包み込んで）保持した後、その箱型の対象物（ティッシュペーパーボックス等）より細い棒状を有する別な物へ付け足した面（マジックテープ等の留め具付）を合わせて縦、横等の装着を可能とした箱物保持装着カバー。
【請求項３】
マジックテープなどの留め具を利用することにより、その対象物より細い棒状を有する別な物への装着を調整・安定させることを可能にした箱物保持装着カバー。
【請求項４】
箱型の対象物を保持する素材を布地とすることにより汚れ洗いを可能とし、折り畳み（包み込み）や組立てが簡易となると同時に、未使用時に折り畳んだり丸めたりして省収納スペースや持ち運びの手軽さも可能にした箱物保持装着カバー。
【発明の詳細な説明】
【技術分野】
【０００１】
本発明は、ティッシュペーパーボックスなどの箱型対象物を一つの素地で折り畳んで（包み込んで）マジックテープ等の留め具で保持し、箱型対象物（ティッシュペーパーボックス等）より細い棒状を有する別な物への装着を可能にしたものである。
【背景技術】
【０００２】
ティッシュペーパーボックスを専用ケースに入れ、ベルトで装着可能とするものは存在したが、一つの素地で折り畳んで（包み込んで）、そのまま三方の向きに装着可能としたものはなく、未使用時に小さく折り畳んで又は丸めて収納できる簡便さがないという不都合もあった。
【０００３】
この解決策として、箱型対象物（ティッシュペーパーボックス等）を各面に分解して（開いて）保持する部分と装着する部分、保持装着に必要な付け足す部分を一つの同じ素地で分離せずに行なうことで、折り畳んで（包み込んで）保持し、三方の向きに装着可能とし、尚且つ未使用時に小さく折り畳んで又は丸めて収納できる簡便さを可能とした。
【発明の開示】
【発明が解決しようとする課題】
【０００４】
箱型対象物（ティッシュペーパーボックス等）を保持する専用ケースと装着するベルトの分離型ではなく、丸めて小さく収納することや丸洗いが出来る一体型にする。装着時の向き（ティッシュ取り出し向き）を三方向可能とし、装着時の密着度を高める。
【課題を解決するための手段】
【０００５】
上記課題を解決するために、ティッシュペーパーボックス等の箱型対象物を保持、装着する手段を折り畳み（包み込み）、組立式となるような一体型とすることにより、一つの同じ素地（布地等）を使用することを可能とした。これにより、丸めて収納することや丸洗いが可能となると同時に、折り畳み方（包み方）によって装着時のティッシュ取り出し向きが三方向とすることができた。素地（布地等）の柔軟性によりティッシュペーパーボックスの装着時の密着度が高まり、ティッシュペーパーボックスが固定され、ティッシュを片手で取り出しやすくすることを可能にした。
【発明の効果】
【０００６】
箱型の対象物がティッシュペーパーボックス等の小型軽量のものであれば、一つの素地（布地等）の柔軟性による密着した折り畳み（包み込み）保持、装着や、丸めて収納、丸洗いが可能となり、手軽さが増した。
【産業上の利用可能性】
【０００７】
生活必需品として家庭や会社、飲食業その他でテッシュペーパーをイスの背もたれに備え付けたり、台所の各種汚れ落とし（食後の食器類の油汚れ等を拭いてから洗うことにより水質汚染軽減へ）に軽微に備え付けたり、病院のベッドに備え付けたりと、生活のあらゆる状況に出現する可能性があり利用可能性が大きい。
【図面の簡単な説明】
【０００８】
【図１】箱物保持装着カバーを内側に開き真上から見た図である。
【図２】箱物保持装着カバーを上面が横向きの横長となるように折り畳んで組立てた形Ａの斜視図である。
【図３】図２Ａの形となるように図１の状態の箱物保持装着カバーにティッシュペーパーボックスをうつ伏せに置き真上からみた図である。
【図４】図２Ａの形となるように図３の状態から側面２と付け足し面６、７、８、９を折り真上から見た図である。
【図５】図２Ａの形となるように図４の状態から付け足し面３を折り真上から見た図である。
【図６】図２Ａの形となるように図５の状態から側面４を折り真上から見た図である。
【図７】図２Ａの形となるように図６の状態から付け足し面５を折り付け足し面３と合わせ真上から見た図である。
【図８】図２Ａの形となるように図７の状態から付け足し面６、７を折り真上から見た図である。
【図９】図２Ａの形となるように図８の状態から付け足し面７を折り真上から見た図である。
【図１０】図２Ａの形となるように図９の状態から付け足し面８、９を折り真上から見た図である。
【図１１】図２Ａの形となるように図１０の状態から付け足し面９を折り付け足し面７と合わせ真上から見た図である。
【図１２】図２Ａの形となるように図１１の状態から側面１０を折り付け足し面６と合わせ真上から見た図である。
【図１３】図２Ａの形となるように図１２の状態から側面１１を折り付け足し面８と合わせ真上から見た図である。
【図１４】図２Ａの形でイスの背に装着した斜視図である。
【図１５】箱物保持装着カバーの上面が上向き横長となるように折り畳んで組立てた形Ｂの斜視図である。
【図１６】図１５Ｂの形となるように図８の状態から付け足し面８、９を折り真上から見た図である。
【図１７】図１５Ｂの形となるように図１６の状態から側面１０を折り付け足し面６と合わせ真上から見た図である。
【図１８】図１５Ｂの形となるように図１７の状態から付け足し面１２を折り真上から見た図である。
【図１９】図１５Ｂの形となるように図１８の状態から側面１１を折り付け足し面８と合わせ真上から見た図である。
【図２０】図１５Ｂの形となるように図１９の状態から付け足し面１３を折り付け足し面１２と合わせ真上から見た図である。
【図２１】図１５Ｂの形でイスの背に装着した斜視図である。
【図２２】箱物保持装着カバーの上面が横向き縦長となるように折り畳んで組立てた形Ｃの斜視図である。
【図２３】図２２Ｃの形となるように図４の状態から側面４を折り真上から見た図である。
【図２４】図２２Ｃの形となるように図２３の状態から付け足し面６７を折り真上から見た図である。
【図２５】図２２Ｃの形となるように図２４の状態から付け足し面７を折り真上から見た図である。
【図２６】図２２Ｃの形となるように図２５の状態から付け足し面８、９を折り真上から見た図である。
【図２７】図２２Ｃの形となるように図２６の状態から付け足し面９を折り付け足し面７と合わせ真上から見た図である。
【図２８】図２２Ｃの形となるように図２７の状態から側面１０を折り付け足し面６と合わせ真上から見た図である。
【図２９】図２２Ｃの形となるように図２８の状態から付け足し面１２を折り真上から見た図である。
【図３０】図２２Ｃの形となるように図２９の状態から側面１１を折り付け足し面８と合わせ真上から見た図である。
【図３１】図２２Ｃの形となるように図３０の状態から付け足し面１３を折り付け足し面１２と合わせ真上から見た図である。
【図３２】図２２Ｃの形でイスの背に装着した斜視図である。
【図３３】図２２Ｃの形で網棚に装着した斜視図である。
【符号の説明】
【０００９】
１    カバー上面
２    長い側面（短い側面と長い側面の付け足し面が２つある）
３    付け足し面（長い側面・符号２側）
４    長い側面
５    付け足し面（長い側面・符号４側）
６    付け足し面（短い側面・符号１０と重なる）
７    付け足し面（付け足し面・符号６の延長）
８    付け足し面（短い側面・符号１１と重なる）
９    付け足し面（付け足し面・符号８の延長）
１０    側面（付け足し面・符号６と重なる）
１１    側面（付け足し面・符号８と重なる）
１２    付け足し面（短い側面・符号１０側）
１３    付け足し面（短い側面・符号１１側）
１４    箱型対象物（ティッシュペーパーボックス等）の下面（底面）
１５    マジックテープ等の留め具（実線・内側）
１６    マジックテープ等の留め具（破線・外側）
１７    折り目
１８    箱型対象物（ティッシュペーパーボックス等）の窓枠（ティッシュ取出し口）
１９    イスの
２０    網棚
２１    ティッシュペーパー
【図１】
2005066075.tif 000003
【図２】
2005066075.tif 000004
【図３】
2005066075.tif 000005
【図４】
2005066075.tif 000006
【図５】
2005066075.tif 000007
【図６】
2005066075.tif 000008
【図７】
2005066075.tif 000009
【図８】
2005066075.tif 000010
【図９】
2005066075.tif 000011
【図１０】
2005066075.tif 000012
【図１１】
2005066075.tif 000013
【図１２】
2005066075.tif 000014
【図１３】
2005066075.tif 000015
【図１４】
2005066075.tif 000016
【図１５】
2005066075.tif 000017
【図１６】
2005066075.tif 000018
【図１７】
2005066075.tif 000019
【図１８】
2005066075.tif 000020
【図１９】
2005066075.tif 000021
【図２０】
2005066075.tif 000022
【図２１】
2005066075.tif 000023
【図２２】
2005066075.tif 000024
【図２３】
2005066075.tif 000025
【図２４】
2005066075.tif 000026
【図２５】
2005066075.tif 000027
【図２６】
2005066075.tif 000028
【図２７】
2005066075.tif 000029
【図２８】
2005066075.tif 000030
【図２９】
2005066075.tif 000031
【図３０】
2005066075.tif 000032
【図３１】
2005066075.tif 000033
【図３２】
2005066075.tif 000034
【図３３】
2005066075.tif 000035